(57)【要約】      （修正有）【課題】簡潔構造で戸棚の中のものの取出しや収納を容易とするとともに圧迫感を取り除く昇降式戸棚を提供する。【解決手段】下側が開口した戸棚ケース１１と、戸棚ケース１１の内側に収納され、上下方向にスライド可能の収納棚１２と、ベルトをモータ駆動により巻取り巻戻し収納棚１２を上下方向にスライド移動させる昇降装置２０とを備え、戸棚ケース１１は、下降したときの収納棚１２の前面の位置に開口部３６を設ける。【選択図】図１
2008012243.tif 000002
【特許請求の範囲】
【請求項１】
下側が開口した戸棚ケースと、前記戸棚ケースの内側に収納され、上下方向にスライド可能の収納棚と、ベルトまたはワイヤをモータ駆動により巻取り巻戻し前記収納棚を上下方向にスライド移動させる昇降装置とを備え、前記戸棚ケースは、下降したときの前記収納棚の前面の位置に開口部を設けたことを特徴とする昇降式戸棚。
【請求項２】
下側が開口した戸棚ケースと、前記戸棚ケースの内側に収納され、上下方向にスライド可能の収納棚と、ベルトまたはワイヤをモータ駆動により巻取り巻戻し前記収納棚を上下方向にスライド移動させ、さらに前記収納棚が下方向にスライド移動したとき前方にスライド移動させる昇降装置とを備え、前記戸棚ケースは、下降したときの前記収納棚の前面の位置に開口部を設けたことを特徴とする昇降式戸棚。
【請求項３】
前記昇降装置は、前記ベルトまたはワイヤが前記戸棚ケースの内側上面に取付けられた巻取りローラに一端が固定され、前記収納棚の上面に取付けられたガイドローラに掛けられ、他端が前記戸棚ケースの内側上面に固定、または、前記戸棚ケースの内側上面に取付けられたガイドローラに掛けられてから前記収納棚の上面に固定されることを特徴とする請求項１に記載の昇降式戸棚。
【請求項４】
前記昇降装置は、前記ベルトまたはワイヤが前記戸棚ケースの内側上面に取付けられた巻取りローラに一端が固定され、前記収納棚の上面に取付けられたガイドローラに掛けられ、他端が前記戸棚ケースの側面内側で上下方向にスライド可能のスライド板に取付けられたガイドローラに掛けられてから、前記収納棚の側面に固定されることを特徴とする請求項２に記載の昇降式戸棚。
【発明の詳細な説明】
【技術分野】
【０００１】  本発明は、簡潔構造で戸棚の中のものの取出しや収納を容易とするとともに圧迫感を取り除く昇降式戸棚に関する。
【背景技術】
【０００２】  従来の戸棚には、流し台の上方の壁面などに設置設され、モータ駆動によりベルトを巻取り巻戻しすることにより、底面が開口した戸棚ケースに収納した戸棚を昇降可能にする昇降式戸棚がある（例えば、特許文献１参照）。
従来の昇降式戸棚は、収納棚が昇降可能に戸棚ケースに収納されており、収納棚は、戸棚ケースから下降しても強度上戸棚ケースの下方外側まで下降設定できず一部は戸棚ケース内に残るため、収納棚の中のものの取出しや収納をし易くするために収納棚ケースの前面にはフラップ式の扉が設けられている。収納棚が上昇し戸棚ケースに収納されているときには戸棚ケースの前面に設けられたフラップ式の扉は閉じられているが、収納棚が戸棚ケースから下降したときには、フラップ式の扉は前方に開き、取出しや収納を行うことができる。
しかしながら、従来の昇降式戸棚は、戸棚ケースに収納する収納棚を下降させたとき、フラップ式の扉は開き、取出しや収納を容易に行うことができるが、フラップ式の扉の下端が前方に向け開くため、構造が複雑であるとともに作業者に対し圧迫感を生じることがあるという問題があった。
また、戸棚ケースに収納した戸棚を斜め前方に昇降させる昇降式戸棚もあるが（例えば、特許文献２参照）、戸棚が斜め前方に下降するとき、前方に開口するフラップ式の扉が設けられており、同様の問題があった。【０００３】
【特許文献１】  特開２００２−１７７０６２号公報
【特許文献２】  特開２０００−２６２３３６号公報
【発明の開示】
【発明が解決しようとする課題】
【０００４】  本発明は、上記に鑑みてなされたものであって、簡潔構造で戸棚の中のものの取出しや収納を容易とするとともに圧迫感を取り除く昇降式戸棚を提供することを目的とする。
【課題を解決するための手段】
【０００５】  本発明の昇降式戸棚は、下側が開口した戸棚ケースと、前記戸棚ケースの内側に収納され、上下方向にスライド可能の収納棚と、ベルトまたはワイヤをモータ駆動により巻取り巻戻し前記収納棚を上下方向にスライド移動させる昇降装置とを備え、前記戸棚ケースは、下降したときの前記収納棚の前面の位置に開口部を設けることとした。
また、本発明の昇降式戸棚は、下側が開口した戸棚ケースと、前記戸棚ケースの内側に収納され、上下方向にスライド可能の収納棚と、ベルトまたはワイヤをモータ駆動により巻取り巻戻し前記収納棚を上下方向にスライド移動させ、さらに前記収納棚が下方向にスライド移動したとき前方にスライド移動させる昇降装置とを備え、前記戸棚ケースは、下降したときの前記収納棚の前面の位置に開口部を設けることとした。
また、前記昇降装置は、前記ベルトまたはワイヤが前記戸棚ケースの内側上面に取付けられた巻取りローラに一端が固定され、前記収納棚の上面に取付けられたガイドローラに掛けられ、他端が前記戸棚ケースの内側上面に固定、または、前記戸棚ケースの内側上面に取付けられたガイドローラに掛けられてから前記収納棚の上面に固定されることとした。
さらに、前記昇降装置は、前記ベルトまたはワイヤが前記戸棚ケースの内側上面に取付けられた巻取りローラに一端が固定され、前記収納棚の上面に取付けられたガイドローラに掛けられ、他端が前記戸棚ケースの側面内側で上下方向にスライド可能のスライド板に取付けられたガイドローラに掛けられてから、前記収納棚の側面に固定されることとした。
【発明の効果】
【０００６】  本発明の昇降式戸棚は、下側が開口した戸棚ケースと、前記戸棚ケースの内側に収納され、上下方向にスライド可能の収納棚と、ベルトまたはワイヤをモータ駆動により巻取り巻戻し前記収納棚を上下方向にスライド移動させる昇降装置とを備え、前記戸棚ケースは、下降したときの前記収納棚の前面の位置に開口部を設けることとしたため、簡潔構造で、収納棚が戸棚ケースに収納されているときには戸棚ケースの内部を覆い美観を維持し、収納棚を下降させたときには、収納棚の前側を全面的に開口することができ、収納棚の中のものの取出しや収納を圧迫感もなく容易に行うことができる。
また、本発明の昇降式戸棚は、下側が開口した戸棚ケースと、前記戸棚ケースの内側に収納され、上下方向にスライド可能の収納棚と、ベルトまたはワイヤをモータ駆動により巻取り巻戻し前記収納棚を上下方向にスライド移動させ、さらに前記収納棚が下方向にスライド移動したとき前方にスライド移動させる昇降装置とを備え、前記戸棚ケースは、下降したときの前記収納棚の前面の位置に開口部を設けることとしたため、簡潔構造で、収納棚が戸棚ケースに収納されているときには戸棚ケースの内部を覆い美観を維持し、下降したときやさらに斜め下方にスライド移動するときに、収納棚の前側を全面的に開口することができ、収納棚の中のものの取出しや収納を容易にすることができる。
また、前記昇降装置は、前記ベルトまたはワイヤが前記戸棚ケースの内側上面に取付けられた巻取りローラに一端が固定され、前記収納棚の上面に取付けられたガイドローラに掛けられ、他端が前記戸棚ケースの内側上面に固定、または、前記戸棚ケースの内側上面に取付けられたガイドローラに掛けられてから前記収納棚の上面に固定されることとしたため、簡潔構造で戸棚ケースから収納棚を昇降することができる。
さらに、前記昇降装置は、前記ベルトまたはワイヤが前記戸棚ケースの内側上面に取付けられた巻取りローラに一端が固定され、前記収納棚の上面に取付けられたガイドローラに掛けられ、他端が前記戸棚ケースの側面内側で上下方向にスライド可能のスライド板に取付けられたガイドローラに掛けられてから、前記収納棚の側面に固定されることとしたため、簡潔構造で戸棚ケースから収納棚を昇降することや、収納棚を下降させ斜め下方にスライド移動するができる。
【発明を実施するための最良の形態】
【０００７】  以下、本発明の実施の形態の昇降式戸棚につき図を用いて説明する。
【実施例１】
【０００８】  図１は、本発明の第１の実施の形態の昇降式戸棚の斜視図を示し、図１（ａ）は、本発明の第１の実施の形態の昇降式戸棚の収納棚が戸棚ケースに収納されたときの斜視図を示し、図１（ｂ）は、本発明の第１の実施の形態の昇降式戸棚の収納棚が下降したときの斜視図を示す。
図１（ａ）に示すように、本発明の第１の実施の形態の昇降式戸棚は、収納棚１２が戸棚ケース１１に収納されている。戸棚ケース１１は、収納棚１２の内側側面との間に設けられたスライダ１３により上昇方向と下降方向にスライド可能に取付けられ、戸棚ケース１１の前面には開口部３６が設けられている。戸棚ケース１１の内側上方には収納棚１２を昇降させる図２に示す昇降装置２０が設置されている。
収納棚１２は、戸棚ケース１１から下降しても強度上戸棚ケースの下方外側まで下降できず一部は戸棚ケース内に残るが、図１（ｂ）に示すように収納棚１２が下降したとき、戸棚ケース１１の前面には開口部３６が設けられているため、収納棚１２の前面は全面的に開口する。そのため、収納棚１２が戸棚ケース１１に収納されているときには戸棚ケース１１の内部を覆い美観を維持し、下降したときには収納棚１２の中のものの取出しや収納を容易にすることができる。【０００９】  図２は、本発明の第１の実施の形態の昇降式戸棚に設けられる昇降装置の斜視図を示す。
図２に示すように、昇降装置２０は、収納棚１２の上面側の中央位置で戸棚ケース１１（図１参照）の下側に駆動モータ２１が取付けられ、駆動モータ２１は、ＤＣモータ２１ａと、ＤＣモータ２１ａの回転数を減速しトルクを増大する減速器２１ｂとで構成され、減速器２１ｂは、戸棚ケース１１の内部に取付けられた回転軸２４に連結している。回転軸２４には巻取りローラ２２が取り付けられ、ガイドローラ２３が収納棚１２の上部端部側に取り付けられ、ベルト２８は、一方の端部が巻取りローラ２２に固定されガイドローラ２３に掛けられ、他方の端部が戸棚ケース１１の内部に取付けられた固定バー２５に固定されている。昇降装置２０の他方側も同様の構成となっている。
駆動モータ２１は、上昇スイッチ３９ａと下降スイッチ３９ｂとを有し、壁面などに設けられる操作スイッチ３９に接続している。上昇スイッチ３９ａが操作されると、駆動モータ２１は正転作動して巻取りローラ２２がベルト２８を巻き取って収納棚１２を上昇させ、下降スイッチ３９ｂが操作されると、逆転作動して巻取りローラ２２を逆転回動させ巻取りローラ２２に巻かれているベルト２８は巻き戻され収納棚１２を下降させることができる。【００１０】  図３は、本発明の第１の実施の形態の昇降式戸棚に用いられる昇降装置の側面図を示し、図３（ａ）は、収納棚が戸棚ケースに収納されているときの側面図を示し、図３（ｂ）は、収納棚が下降したときの側面図を示す。
図３により、本発明の第１の実施の形態の昇降式戸棚の動作につき説明する。
図３（ａ）に示すように、本発明の第１の実施の形態の昇降式戸棚は、収納物の収納や取出しを行わないときは、操作スイッチ３９の上昇スイッチ３９ａの操作により駆動モータ２１が駆動して、昇降装置２０の巻取りローラ２２がベルト２８を巻取り、収納棚１２を上昇させ、収納棚１２は戸棚ケース１１に収納されている。
図３（ｂ）に示すように、下降スイッチ３９ｂが操作されたときには、昇降装置２０の駆動モータ２１は巻取りローラ２２を逆転回動させ、巻取りローラ２２に巻かれているベルト２８を巻き戻し、収納棚１２を下降させることができる。収納棚１２が下降したとき、戸棚ケース１１の前面には開口部３６が設けられているため、収納棚１２の前面は全面的に開口する。【００１１】  以上述べたように、本発明の第１の実施の形態の昇降式戸棚は、簡潔構造で、収納棚１２が戸棚ケース１１に収納されているときには戸棚ケース１１の内部を覆い美観を維持し、昇降装置２０により収納棚１２を下降させたときには、収納棚１２の前側を全面的に開口することができ、収納棚１２の中のものの取出しや収納を圧迫感もなく容易に行うことができる。
なお、本発明の第１の実施の形態の昇降式戸棚では、ベルト２８は、ガイドローラ２３に掛けてから、他方の端部を戸棚ケース１１の内部に取付けられた固定バー２５に固定することとしたが、ガイドローラ２３に掛けてから、戸棚ケース１１の内部に取付けたガイドローラに掛け、他方の端部を戸棚ケース１１の上側に固定することもできる。
【実施例２】
【００１２】  図４は、本発明の第２の実施の形態の前方に引出し可能とした昇降式戸棚に用いられる昇降引出し装置の斜視図を示す。
図４に示すように、昇降引出し装置７０は、戸棚ケース１４（図５参照）の内側上部の中央に駆動モータ７１が取付けられ、駆動モータ７１は、ＤＣモータ７１ａと、ＤＣモータ７１ａの回転数を減速しトルクを増大する減速器７１ｂとで構成され、減速器７１ｂは回転軸７９に連結している。回転軸７９には巻取りローラ７２が取り付けられ、第１のガイドローラ７３が上下方向にスライド可能に設けられたスライド板１５の内側上部中央に取り付けられ、第２のガイドローラ７４が戸棚ケース１４の内側上部の後面側に取付けられ、第３のガイドローラ７５がスライド板１５の内側の後面側に取り付けられ、第４のガイドローラ７６が収納棚１６の側面の中央より前面側に取り付けられている。【００１３】  ベルト７８は、巻取りローラ７２に一方の端部が固定され、第１、第２、第３、第４のガイドローラ７３、７４、７５、７６に掛けられ、第４のガイドローラ７６で折返されて他方の端部が収納棚１６の側面でピン７７に固定されている。昇降引出し装置７０の他方側も同様の構成となっている。
駆動モータ７１は、上昇スイッチ５９ａと下降スイッチ５９ｂとを有する壁面などに設けられる操作スイッチ５９に接続し、上昇スイッチ５９ａが操作されると正転作動し、巻取りローラ７２がベルト７８を巻き付け、下降スイッチ５９ｂが操作されると逆転作動し、巻取りローラ７２を逆転回動させ巻取りローラ７２に巻かれているベルト７８は巻き戻される。
ベルト７８の巻取り巻戻しが行われ、スライド板１５が下降し、予め設定した所定の位置まで下降したとき、さらにベルト７８の巻戻しにより収納棚１６を前方斜め下方にスライド移動することができる。【００１４】  図５は、本発明の第２の実施の形態の前方に引出し可能とした昇降式戸棚の側面図を示し、図５（ａ）は、戸棚ケースに収納棚が収納されているときの側面図を示し、図５（ｂ）は、収納棚が下降したときの側面図を示し、図５（ｃ）は、さらに収納棚が前方に引出されたときの側面図を示す。
図５（ａ）に示すように、操作スイッチ５９の上昇スイッチ５９ａが操作されたときには、戸棚ケース１４の内側上部の中央に取り付けられた駆動モータ７１が作動して巻取りローラ７２が回動し、巻取りローラ７２に一方の端部が固定され、第１のガイドローラ７３、第２のガイドローラ７４、第３のガイドローラ７５、第４のガイドローラ７６に掛けられ、ピン７７で他方の端部が固定されたベルト７８が巻き上げられてスライド板１５が上昇し、収納棚１６は、戸棚ケース１４に収納されている。
図５（ｂ）に示すように、操作スイッチ５９の下降スイッチ５９ｂが操作されたときには、駆動モータ７１が作動して巻取りローラ７２が回動し、ベルト７８が巻き戻され、スライド板１５は収納棚１６の引出しが行われる所定の位置まで下降するが、まだ収納棚１６は、スライド板１５の間で戸棚ケース１４の下方の位置に収納されている。
図５（ｃ）に示すように、スライド板１５が所定の位置まで下降したとき駆動モータ７１が引き続き作動し、第４のガイドローラ７６に掛けたれたベルト７８が緩められると、戸棚ケース１４の前面には開口部３７が設けられているため、収納棚１６は、開口部３７を通りスライダ８５に沿って前方斜め下方にスライド移動することができる。【００１５】  以上述べたように、本発明の第２の実施の形態の昇降引出し式戸棚は、簡潔構造で、収納棚１６が戸棚ケース１４に収納されているときには戸棚ケース１４の内部を覆い美観を維持し、下降したときやさらに斜め下方にスライド移動するときに、収納棚１２の前側を全面的に開口することができ、収納棚１６の中のものの取出しや収納を容易にすることができる。
なお、本発明の第２の実施の形態の昇降引出し式戸棚では、ベルト７８は、巻取りローラ７２に一方の端部を固定し、第１、第２、第３、第４のガイドローラ７３、７４、７５、７６に掛けてから、第４のガイドローラ７６で折返して他方の端部を収納棚１６の側面でピン７７に固定したが、第２のガイドローラ７４の位置に巻取りローラ７２を設置し、巻取りローラ７２から第３のガイドローラ７５に掛けることもでき、また、第３のガイドローラ７５に掛けてから、他方の端部を第４のガイドローラ７６の位置で固定することもできる。
本発明の上記の実施の形態の昇降式戸棚は、流し台の上方に設けられる以外に使用することができ、他の棚類についての同様のことを行うことができる。
さらに、本発明の実施の形態の昇降式戸棚は、駆動にベルトを使用することとしたが、ワイヤなどを使用することもできる。
【図面の簡単な説明】
【００１６】
【図１】  本発明の第１の実施の形態の昇降式戸棚の斜視図を示し、図１（ａ）は、本発明の第１の実施の形態の昇降式戸棚の収納棚が戸棚ケースに収納されたときの斜視図を示し、図１（ｂ）は、本発明の第１の実施の形態の昇降式戸棚の収納棚が下降したときの斜視図を示す。
【図２】  本発明の第１の実施の形態の昇降式戸棚に設けられる昇降装置の斜視図を示す。
【図３】  本発明の第１の実施の形態の昇降式戸棚に用いられる昇降装置の側面図を示し、図３（ａ）は、収納棚が戸棚ケースに収納されているときの側面図を示し、図３（ｂ）は、収納棚が下降したときの側面図を示す。
【図４】  本発明の第２の実施の形態の前方に引出し可能とした昇降式戸棚に用いられる昇降引出し装置の斜視図を示す。
【図５】  本発明の第２の実施の形態の前方に引出し可能とした昇降式戸棚の側面図を示し、図５（ａ）は、戸棚ケースに収納棚が収納されているときの側面図を示し、図５（ｂ）は、収納棚が下降したときの側面図を示し、図５（ｃ）は、さらに収納棚が前方に引出されたときの側面図を示す。
【符号の説明】
【００１７】  １１、１４  戸棚ケース
１２、１６  収納棚
１５  スライド板
２０  昇降装置
２１、７１  駆動モータ
２２、７２  巻取りローラ
２３、７３、７４、７５、７６  ガイドローラ
２８、７８  ベルト
３６、７６  開口部
７０  昇降引出し装置
３９、５９  操作スイッチ
【図１】
2008012243.tif 000003
【図２】
2008012243.tif 000004
【図３】
2008012243.tif 000005
【図４】
2008012243.tif 000006
【図５】
2008012243.tif 000007